(57)【特許請求の範囲】
【請求項１】
基端には屋根勾配に対応する切欠（１Ｃ）を施した少なくとも２本の平行した屋根垂木（１）と、断熱材（３）と同一高さの横枠材（４）とで空間（Ｖ）を備えた枠体（Ｆ）とし、空間（Ｖ）内には、上面が遮熱材（２）で被覆された形態に、断熱材（３）を注入発泡成形し、遮熱材（２）は、少なくとも上面シート（２１）及び下面シート（２３）を含む上下複数のシート材（２１，２２，２３）から成り、シート表面での輻射熱反射作用、及びシート間の空気層空間（Ｓ）による空気流通作用を備え、且つ、下面シート（２３）が発泡断熱材（３）の凝固接着力により断熱材（３）と一体化した、屋根パネル（Ａ）を、小屋組み上に屋根垂木（１）を介して張設し、屋根下張材（７）及び／又は屋根材（８）を屋根パネル（Ａ）上に張設することにより、遮熱材（２）が外気を導通すると共に、屋根面からの熱線による加熱を阻止して断熱材（３）への蓄熱を軽減するようにした、住宅の屋根断熱構造。
【請求項２】
遮熱材（２）は、少なくとも上面シート（２１）と次層シート（２２，２３）とが上面に熱反射層を備えた複数シート（２１，２２，２３）を備え、各シート間には倒伏自在な起立片（２４，２５）群によって長手方向に貫通した空気層空間（Ｓ）を備えている請求項１の住宅の屋根断熱構造。
【請求項３】
屋根パネルの屋根垂木（１）を小屋組みに釘打ち固定すると共に、屋根下張材（７）を遮熱材（２）上面に空隙層（Ｓｏ）を保って屋根パネル（Ａ）の垂木（１）に固定した請求項１又は２の住宅の屋根断熱構造。
【請求項４】
基端には屋根勾配に対応する切欠（１Ｃ）を施した少なくとも２本の平行した屋根垂木（１）と、断熱材（３）と同一高さの横枠材（４）とで空間（Ｖ）を備えた枠体（Ｆ）とし、空間（Ｖ）内には、上面が遮熱材（２）で被覆された形態に、断熱材（３）を注入発泡成形し、遮熱材（２）は、少なくとも上面シート（２１）及び下面シート（２３）を含む上下複数のシート材（２１，２２，２３）から成り、シート表面での輻射熱反射作用、及びシート間の空気層空間（Ｓ）による空気流通作用を備え、且つ、下面シート（２３）が発泡断熱材（３）の凝固接着力により断熱材（３）と一体化した、垂木一体化屋根パネル。
【請求項５】
遮熱材（２）は、紙材の上面シート（２１）、中間シート（２２）及び下面シート（２３）が表面に熱反射アルミ箔層を備え、折曲部（ｒ）で折曲自在とした起立片（２４，２５）群の両端の折曲面（２４´，２５´）を上面シート（２１）及び下面シート（２３）に固定すると共に、折曲部（ｒ）で折曲自在とした中間シート（２２）の両端の折曲面（２２´）を起立片（２４，２５）群に固定し、各シート（２１，２２，２３）間に長手方向に貫通した空気層空間（Ｓ）を開口した請求項４の垂木一体化屋根パネル。
【請求項６】
屋根垂木（１）と横枠材（４）で囲まれた空間（Ｖ）内に横枠材（４）から断熱材（３）を注入発泡成形して、屋根垂木（１）、横枠材（４）及び下面シート（２３）を発泡断熱材（３）の凝固接着力により一体化した請求項４又は５のいずれか１項の垂木一体化屋根パネル。
【請求項７】
遮熱材（２）の上面シート（２１）が屋根垂木（１）の上面（１Ｔ）より下方に位置している請求項４乃至６のいずれか１項の垂木一体化屋根パネル。
【請求項８】
屋根垂木（１）の上面（１Ｔ）に屋根下張材（７）を張設一体化した請求項４乃至７のいずれか１項の垂木一体化屋根パネル。
【発明の詳細な説明】
【０００１】
【発明の属する技術分野】
本発明は、住宅の屋根を、通気性及び断熱性に優れた新規な屋根パネルを用いて構築し、施工容易、且つ省エネルギー化された住宅を提供せんとするものであり、住宅建築の分野に属するものである。
【０００２】
【従来の技術】
住宅建築に於いて、屋根構造に通気性及び断熱性を付与することは、住環境面、屋根耐久性面から重要な課題であり、従来より屋根垂木上面に断熱材を外張りする手法や、屋根垂木間に断熱材を充填する手法が実施されている。
外張り断熱にあっては、垂木自体も断熱する点では有利であるが、断熱材固定上、断熱材の厚さが制約を受ける問題があり、充填断熱にあっては、垂木の高さの変更により断熱層が自由に選択出来、且つ外張りに比べて、屋根下張り材の施工までの工程が少なく合理的に施工出来る。
【０００３】
〔従来例１〕
図７は、従来の充填断熱の典型例であり、図７（Ａ）の如く、合板等の屋根下張材を小屋組みの垂木上に釘留めし、垂木上端側面には通気下地材を釘留めし、図７（Ｂ）の如く、通気下地材に透湿防水シートや合板等の防風層を釘で留めて屋根下張材と防風層との間隙で通気層を形成し、次いで図７（Ｃ）の如く、垂木間寸法どおりに切断した断熱材板等を垂木間の内側から嵌め込んだ後、ずり落ちないように釘で固定し、更に断熱材の下側から塩ビフィルム等の防湿層をタッカー釘で垂木に留めている。
【０００４】
〔従来例２〕
図８は、薄型で断熱性及び撓み剛性に優れた通気屋根パネルとして提案されたもの（特開平８−２９１６００号公報）であり、両側及び中央部の垂木と適宜間隔に配した横材としての継ぎ桟とで格子枠を形成し、継ぎ桟の上面の一部に通風口を切欠しておき、垂木上面に張設固定した野地板の下面に通気隙間を形成するように断熱材を充填し、断熱材と野地板間にプラスチックをエンボス加工した断熱シートを配置して、グラスウールの如き外気が容易に吹き抜ける断熱材の使用も可能とし、断熱シートの凸部で断熱材と野地板のバックアップ機能を奏し、断熱材の移動を抑制すると共に、凸部間隔及び継ぎ桟の通風口によって外気の導通を可能としたものである。
【０００５】
【発明が解決しようとする課題】
従来例１のものにあっては、有効な通気層が形成出来、垂木高さの選定によって所望厚の断熱材が付与出来るが、施工に手間がかかり、しかも、断熱材は屋根からの加熱によって蓄熱体となり、夜間に外気温が下がっても依然として住居内部へ一定の熱を伝導放散することとなる。
また、従来例２のものにあっては、格子枠を形成する継ぎ桟が内装仕上材省略の重要な要素であり、断熱シートとして耐久性及び断熱性に優れた合成樹脂材を選定しているが、熱線反射機能は無く、且つ枠材との通風口及び格子枠形成が複雑な構成となり、しかも、断熱シートからの伝導熱が断熱材に付加され、従来例１同様に断熱材は蓄熱体機能を奏する。
本発明は、これら従来例１，２では全く着目されていない、屋根断熱材への外部からの輻射熱付与を遮熱材で阻止し、断熱材への蓄熱を阻止軽減するという、全く新規、且つ異質のものであり、併せて簡単な構造の屋根パネルの採用によって、施工上も機能上も格段に優れた、実用性に富んだ屋根断熱手法を提供せんとするものである。
【０００６】
【課題を解決するための手段及び作用】
本発明は、例えば、図１，図３に示す如く、基端（棟側端）には屋根勾配に対応する切欠１Ｃを施した少なくとも２本の平行した屋根垂木１間と、断熱材３と同一高さの横枠材４とで空間Ｖを備えた枠体Ｆとし、空間Ｖ内には、上面が遮熱材２で被覆された形態に、断熱材３を注入発泡成形し、遮熱材２は、少なくとも上面シート２１及び下面シート２３を含む上下複数のシート材２１，２２，２３から成り、シート表面での輻射熱反射作用、及びシート間の空気層空間Ｓによる空気流通作用を備え、且つ、下面シート２３が発泡断熱材３の凝固接着力により断熱材３と一体化した、屋根パネルＡを、図６に示す如く、小屋組み上に屋根垂木１を介して張設し、屋根下張材７及び／又は屋根材８を屋根パネルＡ上に張設することにより、遮熱材２が外気を導通すると共に、屋根面からの熱線による加熱を阻止して断熱材３への蓄熱を軽減するようにした住宅の屋根断熱構造である。
【０００７】
尚、「少なくとも上面シート２１及び下面シート２３を含む上下複数のシート材２１，２２，２３」は、複数シートが上面シート２１と下面シート２３のみの２層形態も、或いは中間シートが複数の多層形態も含む意である。
また、屋根パネルＡでの、枠体構成材としての屋根垂木１及び横枠材４と断熱材３との固定は、屋根パネルＡの施工時及び耐用期間中に断熱材３が脱落しない構造であれば良く、枠体側面を粗面又は凹凸面として断熱材を充填発泡一体化すれば、断熱材３の凝固接着力により耐用可能な屋根パネルＡとなる。
断熱材の注入発泡成形に際しては、図３の如く、成形台上にクラフト紙を離型材として敷き、積層形態遮熱材２を横枠材４に差し渡し載置し、遮熱材２上には型板３２を配置し、一方の横枠材４には注入孔Ｏ１を、他方の横枠材４には排気孔Ｏ２を配置すれば良い。
この構造の屋根パネルは、横枠材４及び垂木で形成された保形性大な枠体内への断熱材の充填一体化であるので剛性に優れ、断熱材の脱落の恐れの無い屋根パネルとなり、屋根パネルの製作が容易となる。
また、遮熱材２の断熱材３上面への被覆は、断熱材の枠体Ｆの空間Ｖ内への注入発泡成形時に遮熱材２を同時に断熱材の発泡凝固接着力で一体化固定すれば良い。
【０００８】
また、屋根垂木１に合板等の屋根下地材７を打ち付けた際に、屋根下張材７下面と遮熱材２の上面とに空間が存在する場合は、遮熱材上面の熱反射機能発揮を保証するため、この場合は、シートへの熱反射層付与は、上面シート２１のみとしても所期の目的は達成出来る。
また、遮熱材２の上面と垂木上面１Ｔとが面一で屋根下張材（野地板）下面と遮熱材上面とが当接する場合でも、遮熱材上面には若干の空気層が存在するので、上面シートもある程度熱反射機能を発揮するが、この場合は、遮熱材２の次層のシートにも輻射熱反射機能を付与しておけば、上面シート２１が表面の汚れや野地板（屋根下張材）との密接等で、熱反射機能をある程度喪失しても、遮熱材全体としては完全な熱反射機能を奏する。
従って、「シート表面での輻射熱反射作用」は、上面シートのみでも、上面シートと次層シートとの協同作用でも、或いは、次層シートとその直下のシートとの協同作用でも所期の目的は達成出来るため、「シート表面」の意は、広く、遮熱材構成シートの表面を意味するものである。
【０００９】
本発明の屋根断熱構造にあっては、屋根パネルの遮熱材が軒先側から棟側へ外気を導通するため、空気流通による結露防止及び熱放出が好適に遂行出来るのは勿論、遮熱材２による屋根面側からの負荷熱線を反射して断熱材３への加熱が好適に阻止出来、断熱材３の蓄熱が軽減出来るため、遮熱材付き断熱材は、小さな蓄熱量の下に大きな断熱効果を奏することが出来、夜間等の外気温低下に比較的短時間で順応し、従って、冷房エネルギー等の節約が達成出来、住宅の省エネルギー化に有利である。
【００１０】
そして、屋根パネルは、横枠材４が断熱材２と同一高さであり、且つ上下面が断熱材３の上下面と面一となるため、横枠材４が断熱材上の遮熱材の空気層空間Ｓに干渉しないので屋根パネルの外気導通に支障を生ずることなく、しかも断熱材注入用の型締めに際しても、横枠材４が積層形態の遮熱材の上方からの型板３２を好適に支承出来る。
しかも、垂木一体化の屋根パネルは、その優れた通気性、断熱性を具備するに関わらず、構造が簡単なために工場での均質製品としての合理的生産が可能であり、現場施工も、図６に示す如く、棟木６上で棟木の両側からの各垂木１の基端が切欠１Ｃによって面当接するために容易となり、高機能断熱屋根が容易、且つ合理的に施工出来る。
【００１１】
また、遮熱材２は、少なくとも上面シート２１と次層シート２２，２３とが上面に熱反射層を備えた複数シート２１，２２，２３を備え、各シート間には倒伏自在な起立片２４，２５群によって長手方向に貫通した空気層空間Ｓを備えているのが好ましい。
尚、「次層シート２２（２３）」の意は、遮熱材が２層形態で空気層空間Ｓが１層の場合は、次層のシートは下面シート２３を意味し、遮熱材が３層形態で空気層空間Ｓが２層の場合は、次層のシートは上面シート２１の直下の中間シート２２を意味する。
この場合は、上面シート２１の熱反射層が汚れ等で熱反射機能低下を来たしても次層シート２２，２３が上面シートの機能低下を補完出来るのは勿論、倒伏自在な起立片２４，２５に支承されて幅方向変形自在なため、屋根下張材（野地板）の垂木への打ち付け施工によって上面シートが押圧作用を受けても、上面シートは順応変位し、上面シート２１の熱反射機能を喪失するような屋根下張材との全表面の一体化密着が阻止出来る。
従って、上面シート２１の表面が垂木１の上面１Ｔと同一レベルの屋根パネルであっても、上面シートの熱反射層の損傷等に配慮することなく屋根施工が合理的に施工出来る。
【００１２】
また、屋根パネルの屋根垂木１を小屋組みに釘打ち固定すると共に、屋根下張材７を遮熱材２上面に空隙層Ｓｏを保って屋根パネルＡの垂木１に固定するのが好ましい。
この場合、遮熱材上面の空隙形成は、垂木上面を遮熱材上面よりも高い形態に屋根パネルを製作しておけば簡便に実施出来、また垂木の高さが低いものであれば、垂木１の上面に木片の継ぎ材を介して屋根下張材７を釘打ち固定しても良い。
屋根パネルの遮熱材２上面と屋根下張材７との間に空隙層が存在すれば、遮熱材２の上面シートの輻射熱反射作用は完全に発揮出来るため、この場合は、上面シート２１のみに輻射熱反射層を付与した遮熱材の使用も可能となる。
【００１３】
本願の垂木一体化屋根パネルの発明は、図１，図２に示す如く、基端には屋根勾配に対応する切欠１Ｃを施した少なくとも２本の平行した屋根垂木１間と、断熱材３と同一高さの横枠材４とで空間Ｖを備えた枠体Ｆとし、空間Ｖ内には、上面が遮熱材２で被覆された形態に、断熱材３を注入発泡成形し、遮熱材２は、少なくとも上面シート２１及び下面シート２３を含む上下複数のシート材２１，２２，２３から成り、シート表面での輻射熱反射作用、及びシート間の空気層空間Ｓによる空気流通作用を備え、且つ、下面シート２３が発泡断熱材３の凝固接着力により断熱材３と一体化したものである。
【００１４】
尚、「少なくとも上面シート２１及び下面シート２３を含む」の意は、遮熱材２が上面シート２１と下層シート２３のみの２層形態であって空気層空間Ｓが１層となるものも、実施例の如く、遮熱材２が１層の中間シート２２を含む３層形態であって空気層空間Ｓが２層となるものも、或いは遮熱材が４層形態のものをも含む意味である。
また、「シート表面での輻射熱反射作用」の意は、遮熱材の上面シート２１の表面のみでの輻射熱反射作用も、複数のシートの各表面での輻射熱反射作用も、或いは、上面シートを除いた他のシート表面での輻射熱反射作用をも含む意味であり、上面シート２１のみが輻射熱反射作用を奏する場合には、垂木上面に固定する屋根下張材７と上面シート２１間に空気層空隙の存在する施工が、反射機能の完全発揮上好ましい。
【００１５】
この場合、１枚の屋根パネル内の屋根垂木１の本数は、多くすれば屋根施工の能率向上に有利であるが、パネル幅が大となって取り扱いが不利となるため、施工面、運搬保管面から垂木本数を決定すれば良い。
また、空間Ｖ内への断熱材３の固定は、屋根パネル施工時及び耐用期間中の、例えば、地震等の外力が作用しても断熱材３が空間Ｖから脱落しない程度に実施する必要があり、垂木側面を粗面又は凹凸面として接着性を向上させ、断熱材を注入発泡手段で形成するため、断熱材３の固着は十分となる。
【００１６】
断熱材の注入発泡成形に際しては、図３の如く、成形台上にクラフト紙を離型材として敷き、積層形態遮熱材２を横枠材４に差し渡し載置し、遮熱材２上には型板３２を配置し、一方の横枠材４には注入孔Ｏ１を、他方の横枠材４には排気孔Ｏ２を配置すれば良い。
この構造の屋根パネルは、横枠材４及び垂木で形成された保形性大な枠体内への断熱材の充填一体化であるので剛性に優れ、断熱材の脱落の恐れの無い屋根パネルとなり、屋根パネルの製作が容易となる。
【００１７】
従って、本発明の屋根パネルは、図１に示す如く、各屋根垂木１の基端が屋根勾配に対応する切欠１Ｃを備えているため、屋根施工にあっては、図６に示す如く、棟木６上で、両側からの各垂木１の基端が切欠１Ｃによって両当接形態となり、パネル一体の屋根垂木１を小屋組みの軒桁、母屋、棟木等に釘で打ち付けるだけで屋根施工が容易となる。
そして、屋根パネルは、横枠材４が断熱材２と同一高さであり、且つ上下面が断熱材３の上下面と面一となるため、横枠材４が断熱材上の遮熱材の空気層空間Ｓに干渉しないので屋根パネルの外気導通に支障を生ずることなく、しかも断熱材注入用の型締めに際しても、横枠材４が積層形態の遮熱材の上方からの型板３２を好適に支承出来る。
そして、該屋根パネルを張設した住宅屋根は、遮熱材２の空気層空間Ｓに外気が導通して結露防止及び屋根パネル内の過度の加熱が防止出来ると共に、屋根外面からの熱線加熱は遮熱材２の表面の熱反射層で阻止出来て断熱材３の過度の蓄熱が軽減出来、夜間等の外気温度低下時の断熱材３の蓄熱体としての放熱も最小限に抑制出来、優れた住環境を提供する。
【００１８】
また、屋根パネルＡの、熱反射層を備えた遮熱材２は、複数シート２１，２２，２３を折曲自在の起立片２４，２５群によって固定し、各シート２１，２２，２３間に長手方向に貫通した空気層空間Ｓを形成したものが好ましい。
尚、この場合、熱反射層は、上面シート２１のみに付与しても良く、上面と次層のシート、構成シート全て、或いは上面シートを除く他のシートに熱反射層を付与しても良い。
また、熱反射層は、シート表面に輻射熱反射能に優れたアルミニウム箔等の金属箔を貼着形成するのが製造面からも機能面からも有利であるが、シート表面に金属蒸着膜を形成することも可能である。
【００１９】
従って、遮熱材２は、複数シート２１，２２，２３相互が折曲自在の起立片２４，２５群で固定されているため、屋根パネルの製作前には遮熱材２を積層状態に圧接して取扱うことにより保守管理が容易となり、遮熱材２の断熱材３への被覆に際しても積層形態での接着が可能となるため、遮熱材２をあたかも１枚シートの如く取扱えて接着作業が容易となり、屋根パネルの製作及び維持管理が合理化出来る。
【００２０】
また、遮熱材２は、複数シート２１，２２，２３及び起立片２４，２５が紙材から成り、且つ上面シート２１及び次層シート２２，２３が表面に熱反射アルミ箔層を備えているのが好ましい。
この場合、紙材は糊剤接着性が良いので、複数シートと起立片との固定が容易であって、遮熱材の製作が容易となり、シート状の熱反射アルミニウム箔とシート状の遮熱材構成部材（複数シート、起立片）との接着処理も容易となる。また、アルミニウム箔は、典型的には６×１０−３〜６×１０−２mm厚の市販品であっても、微視的に平坦面を備え、且つピンホールが存在しないものであり、接着性の良い紙シートとの単純な面接着により輻射熱反射層が比較的安価、且つ容易に形成出来、完全な輻射熱（熱線）反射機能を発揮する遮熱材２が低コストで得られる。
【００２１】
また、遮熱材２は、紙材の上面シート２１、中間シート２２及び下面シート２３が表面に熱反射アルミ箔層を備え、折曲部ｒで折曲自在とした起立片２４，２５群の両端の折曲面２４´，２５´を上面シート２１及び下面シート２３に固定すると共に、折曲部ｒで折曲自在とした中間シート２２の両端の折曲面２２´を起立片２４，２５群に固定し、各シート２１，２２，２３間に長手方向に貫通した空気層空間Ｓを開口した構造が好ましい。
【００２２】
この場合、紙材は糊剤接着性に優れ、折り込みが容易であるため、各シート表面にアルミ箔を貼着した後、図４に示す如く、各シート２１，２２，２３及び起立片２４，２５を水平載置して起立片２４，２５の折曲面２４´，２５´及び中間シート２２の折曲面２２´に折り目を付けた後、各折曲面に糊剤を塗布して、各構成部材を圧着すれば遮熱材２が積層形態に形成出来るため、アルミ箔の各シートへのローラー装置貼着をはじめ、各シート２１，２２，２３と起立片２４，２５との相互固定も、全てシート状態でローラー群装置に供給しながら、折り目付与→折り込み→糊付け→圧着→定寸切断の流れ工程で合理的に製造出来る。
従って、遮熱材２を予め製造して積層形態で保管しておき、屋根パネル製作時に、積層状態の遮熱材２の下面シート２３を断熱材３上に固定した後、上面シート２１を引張って起立片２４，２５を立てれば良いので、屋根パネルの製作が合理的、且つ容易に実施出来る。
【００２３】
また、屋根パネルは、屋根垂木１と横枠材４で囲まれた空間Ｖ内に横枠材４から断熱材３を注入発泡成形して、屋根垂木１、横枠材４及び下面シート２３を発泡断熱材３の凝固接着力により一体化するのが好ましい。
断熱材の注入発泡成形に際しては、図３の如く、成形台上にクラフト紙を離型材として敷き、積層形態遮熱材２を横枠材４に差し渡し載置し、遮熱材２上には型板３２を配置し、一方の横枠材４には注入孔Ｏ１を、他方の横枠材４には排気孔Ｏ２を配置すれば良い。
この構造の屋根パネルは、横枠材４及び垂木で形成された保形性大な枠体内への断熱材の充填一体化であるので剛性に優れ、断熱材の脱落の恐れの無い屋根パネルとなり、屋根パネルの製作が容易となる。
【００２４】
この場合、屋根パネルは、横枠材４が断熱材２と同一高さであり、且つ上下面が断熱材３の上下面と面一となるため、横枠材４が断熱材上の遮熱材の空気層空間Ｓに干渉しないので屋根パネルの外気導通に支障を生ずることなく、しかも断熱材注入用の型締めに際しても、横枠材４が積層形態の遮熱材の上方からの型板３２を好適に支承出来る。
【００２５】
また、遮熱材２の上面シート２１が屋根垂木１の上面１Ｔより下方に位置しているのが好ましい。
この場合は、屋根垂木１の側面が遮熱材２の起立状態維持機能を奏するため、遮熱材２の上面シート２１を屋根垂木１の側面等に取付けなくとも使用可能であり、必要に応じて上面シート２１を取付ける場合も、上面シート端縁の垂木側面への粘着テープ、釘等での簡単な止着で良い。
しかも、屋根パネルを屋根に張設した際には、屋根垂木１に釘打ち等で止着した屋根下張材７と遮熱材上面シート２１表面との間に空気層空隙Ｓｏが形成出来るため、遮熱材２の上面シート２１が有する輻射熱反射機能も完全に発揮出来る。
【００２６】
また、屋根パネルＡは、屋根垂木１の上面１Ｔに屋根下張材７を張設一体化しておくのが好ましい。
尚、「張設一体化」の意は、本件屋根パネルＡを小屋組み上に張設した際には、該下張材上には別体の下張材の重層付加の必要でないことを意味し、合板等の下張材を釘、接着剤等で図５の如く屋根垂木１に固定すれば良い。
この場合、屋根パネルＡの小屋組みへの取付け施工上、垂木の軒先側及び棟木側突出部１Ｅ，１Ｂには下張材７を張設しない（図５）形態とし、屋根パネルの下張材７の存在しない部分には、屋根パネルＡの取付後に別途下張材を施工すれば良い。
従って、下張材一体張設の屋根パネルＡにあっては、下張材７が補強材となって垂木相互を連結保持する。
【００２７】
【発明の実施の形態】
〔遮熱材２（図４）〕
予め表面にアルミ箔を層着した紙シートを用意し、適用屋根パネルＡの寸法に応じて下面シート２３の幅を各垂木１間寸法Ｗ１に、上面シート２１の幅は、下面シートの幅＋両側の突出縁２１Ｅ（１０mm）に、中間シート２２幅は、各起立片２４，２５間寸法＋両側の折曲面２２´（２０mm）に、また各起立片２４，２５はアルミ箔の無い紙シートを用いて、幅は遮熱材２の所定高さ（標準３０mm）＋上下の折曲面２４´，２５´（２０mm）に、各紙シートを裁断し、図４（Ａ）に示す如く、中間シート２２の折曲面２２´及び起立片２４，２５の折曲面２４´，２５´の他シートへの当接面に糊剤を塗布し、各シートを所定寸法関係に接着する。
【００２８】
従って、アルミ箔の紙シートへの層着を含め、遮熱材２の製作は、各構成部材を全てシート状態でローラー群装置に供給しながら、折り目付与→折り込み→糊付け→圧着→定寸切断の流れ工程で合理的に製造出来る。
また、遮熱材２の幅及び高さは、屋根パネルＡの形状に対応して寸法変更する必要があるが、該寸法変更もローラー群装置での調整で容易に対応出来る。
【００２９】
〔屋根パネルＡの製作（図１，図３）〕
屋根垂木１として、断面寸法３８mm×１４０mmの木材（２×４工法用２０６材）を用い、横枠材４として断面寸法３８mm×１００mm（２０６材の切断加工品）を用い、垂木１の長さＬは適用屋根寸法に応じて決定し、各垂木１間を遮熱材２嵌入用の幅Ｗ１を保って３本並列し、各垂木間には軒先側の突出部１Ｅ及び棟木側の突出部１Ｂを形成して横枠材４を、且つ垂木１と横枠材４とは底面を揃えて釘打ち固定し、各垂木１と横枠材４とで囲まれた空間Ｖを形成した枠体Ｆとする。
【００３０】
また、各横枠材４の軒先側のものには発泡合成樹脂剤の注入孔Ｏ１を、棟木側のものには空気抜き孔（排気孔）Ｏ２を穿孔する。
次いで、図３（Ａ）の如く、該枠体を台上にクラフト紙３１を介して載置し、積層状態の遮熱材２の下面シート２３を横枠材４上に載置し、一側方へ食み出す突出部２Ｐを垂木内面に沿った折曲状態として遮熱材２上面に型板３２を配置し、横枠材４の注入孔Ｏ１から発泡合成樹脂剤（硬質ウレタン発泡剤）を注入発泡し、横枠材４の高さ（１００mm）と同一レベルに充填発泡した合成樹脂の発泡凝固接着力で断熱材３、遮熱材２及び枠体（垂木１＋横枠材４）を一体化する。
次いで、型板３２を取り外して図３（Ｂ）の如く、遮熱材２を立体形態とし、起立片２４，２５によって各シート２１，２２，２３間に空気層空間Ｓを形成した状態で上面シート２１の両側の突出側縁２１Ｅを垂木に釘、ステープル等で固定する。
【００３１】
尚、注入発泡剤が遮熱材２の側方から漏出する恐れのある場合は、離型紙を介して型板３２を型締めすれば良い。
また、断熱材３の発泡成形後、横枠材４の注入孔Ｏ１及び空気抜き孔Ｏ２を閉止すれば屋根パネルの外観が良くなると共に、断熱材３の吸湿による機能低下も抑えられる。
また、垂木１の基端（棟側端）は適用する屋根勾配に応じて切欠１Ｃを施すことにより、棟木上で各垂木１の基端が切欠１Ｃによって面当接形態と出来る。
【００３２】
〔屋根の断熱施工（図６）〕
一方の屋根面の１枚目の屋根パネルＡは、棟側の基端部と小屋組みの中心部の位置を合わせ、屋根垂木１の基端部両側から棟木６に斜め方向に釘打ちして各屋根垂木１を棟木６に固定する。
また、屋根パネルＡの先端側（軒先側）でも、屋根垂木１の両側から軒桁６１に対して釘を斜め方向に打ち込んで各屋根垂木１を軒桁６１に固定する。
また、図示してないが、屋根パネルＡの中間部分に小屋組みの母屋がある場合には、屋根パネル両側端部の屋根垂木１を母屋に対して釘の斜め打ち込みで固定し、更に屋根垂木下面から母屋にわたる金物（屈曲板金）を介して、屋根垂木下面と金物、及び母屋側面と金物を釘打ち固定する。
【００３３】
次いで、反対側の屋根面の屋根パネルを同様の手順で施工し、棟木６の頂点で屋根垂木１の切欠１Ｃによって面当接した屋根垂木同士を補強金物（図示せず）を用いて強固に堅結する。
１枚目の屋根パネルＡの両側屋根面への取付けが終了後、２枚目以降の屋根パネルＡについても同様に、棟木６、軒桁６１、母屋の順に釘打ち固定し、各屋根パネルＡの側面当接部にあっては、当接した両垂木１の適所を釘打ちして各屋根パネル相互も堅結する。
【００３４】
屋根パネルＡの取付施工終了後、軒桁６１上のパネルの屋根垂木１と屋根垂木１との間に、屋根垂木と略同一の断面寸法を有する部材（木材）を屋根垂木１の座屈変形を防止するために、ころび止め材５として、屋根パネルＡの遮熱材２の空気層空間Ｓに干渉しないように挿入し、ころび止め材５と軒桁６１、及びころび止め材５と屋根垂木１間を釘打ちで堅結する。
また、棟木６の頂部でも同様にころび止め材を施工し、屋根垂木１の基端部も補強する。そして、屋根パネルＡの施工終了後、遮熱材２が全面に亘って起立状態であることを確認して、屋根垂木１上に屋根下張材（屋根野地板）７を張設して屋根構造部分を完成し、屋根下張材７上に屋根材８を張設する。
【００３５】
該屋根の断熱施工にあっては、屋根垂木１、断熱材３、遮熱材２一体化パネルを用いるため、屋根垂木の複数本が同時に取付施工出来、断熱材の建築現場での施工も不要となり、従来例１の如き在来工法と比べて、工期が画期的に短縮出来る。しかも、屋根垂木を張設する際は、棟木と軒桁の間隔や、軒桁と母屋の間隔が大きいため、在来工法では高所作業用の足場の確保が必要であり、危険、且つ手間のかかる作業であったが、本発明の屋根パネル施工にあっては、棟部分に作業足場を確保するだけで安全、且つ容易に作業が実施出来る。
また、屋根パネルＡも工場生産により、高品質、且つ信頼性の高いパネルが得られ、簡単、且つ容易な屋根パネルの取付施工によって高品質の断熱構造屋根が得られる。
【００３６】
本実施の態様で得られる住宅の屋根断熱構造にあっては、屋根パネルＡが遮熱材２の各シート上面のアルミ箔によって輻射熱を阻止し、遮熱材２の各シート間の空気層空間Ｓが外気導通によって対流熱伝達を抑制し、且つ断熱材３が熱伝導を抑制するため、即ち、屋根パネルＡが熱伝導の３要素である伝導、対流、輻射の各熱伝達要素全てに対応したものであるため、例えば、従来例２の断熱材上に断熱シートを載置して断熱シートで通気を行う、伝導熱と対流熱とに対処するものに比べても、構造がより単純で、製作面でもより容易、且つ合理的に出来るものである上に、熱伝達抑制機能が格段に優れたものとなる。
即ち、断熱機能面から見ても、本願の遮熱材２＋断熱材３の断熱構造は、単なる同質断熱材のみから成る断熱構造よりも優れた熱伝達抑制効果を発揮する。しかも、従来の断熱材利用の断熱構造での必然結果であった断熱材の蓄熱も軽減出来るため、外気温低下に比較的早く順応出来るものとなり、省エネルギー住宅の提供に有利となる。
【００３７】
〔その他〕
実施態様例では、起立状態様の遮熱材２の上面シート２１の上面と屋根下張材７との間に空気層空隙を形成するものであるが、遮熱材２の上面シート２１と、垂木１上面１Ｔ又は垂木上の起立保持材１０の上面とを同一高さとしても、即ち、遮熱材上面シート２１と屋根下張材７が接触する形態としても良い。
この場合は、断熱材３の高さ（材厚）は、垂木１及び遮熱材２の必要高さの条件の下に最大厚の断熱材層が形成出来、遮熱材２の起立保持も、上面シートの側縁２１Ｅを垂木１又は起立保持材１０の上面に貼り付けるだけで良く、上面シート２１の止着が容易となる。
そして、上面シート２１表面と屋根下張材７下面とは接触するだけであるから、接触面には若干の空気も存在するため上面シート２１の熱反射機能が１００％失われることは無い。
しかも、中間シート（次層シート）２２及び下面シート２３は完全な熱線反射機能を奏するため、遮熱材２全体としての輻射熱伝達抑制機能は充分発揮出来る。
【００３８】
図５は、他の屋根パネル例であり、上面シート２１と下面シート２３から成る遮熱材２の上面を覆う形態に合板の屋根下張材７を屋根垂木１に釘打ち固定したものである。図５の屋根パネルにあっては、屋根下張材７が各垂木間に渡って固定されるため、各垂木１相互はパネル幅方向変位の心配がなく、従って、パネルＡの剛性が大となると共に、遮熱材２を接着一体化した断熱材３の保持が確実となり、取付施工時又は耐用中での断熱材３の脱落の恐れはなくなる。
勿論、図５の如き屋根下張材７の取付一体化は、実施例の屋根パネルはもとより、遮熱材２の上面が垂木上面と同じ高さのものにも適用可能である。
また、該図５のパネルで、屋根下張材７を遮熱材２の上面のみとすれば、屋根パネルの壁（軒桁）への取付け、及び棟木部での取付施工が容易であり、屋根パネルの取付後に下張材７の存在しない部分にのみ別途下張材を施工すれば良い。
【００３９】
【発明の効果】
本発明の屋根断熱構造にあっては、基端に屋根勾配に対応する切欠１Ｃを備えた屋根垂木１と遮熱材２と断熱材３の一体化された屋根パネルＡを用いて屋根を形成するため、従来の、高所作業としての屋根垂木の取付け、通気層の形成、断熱層の取付け等の作業が画期的に合理化出来、しかも、工場生産された均質パネルであるため、単純、且つ合理化された屋根施工によって、高品質の屋根が形成出来る。
【００４０】
また、屋根パネルＡは、遮熱材２のシート表面での輻射熱反射作用と、遮熱材各シート間の空気層空間Ｓでの外気導通による熱の対流伝達抑制作用と、断熱材３による熱伝導を抑制する作用、即ち、熱伝達の３要素である伝導、対流、輻射の各熱伝達要素全てに対応しているので、屋根面からの熱の建物内への伝達が好適に抑制出来、しかも、遮熱材２によって断熱材３の蓄熱が軽減出来て、断熱材２の蓄熱量が抑制出来るため、外気温度低下にも比較的短時間で順応出来、例えば冷房エネルギーの軽減等の省エネルギー住宅の提供に有利である。
【００４１】
そして、屋根パネルは、横枠材４が断熱材２と同一高さであり、且つ上下面が断熱材３の上下面と面一となるため、横枠材４が断熱材上の遮熱材の空気層空間Ｓに干渉しないので屋根パネルの外気導通に支障を生ずることなく、しかも断熱材注入用の型締めに際しても、横枠材４が積層形態の遮熱材の上方からの型板３２を好適に支承出来る。
【００４２】
また、本発明の屋根パネルＡは、遮熱材２が複数シート２１，２２，２３相互を折曲自在の起立片２４，２５群で固定したものであるため、製作に際しては、遮熱材との各構成材としての各シート及び各起立片を共に水平配置してそれぞれ必要位置の折り目付与、接着部への糊付け、加圧接着、及び定寸切断の各工程をローラー群装置による流れ作業で実施出来て、遮熱材２の製作が合理的に実施出来、製品としての遮熱材２も各シートの積層形態で取扱えるので、保管、搬送が容易である。
従って、本発明の屋根パネルＡは、その構造によって、製造上も、敷設施工上も、屋根断熱機能上も優れた実用性の極めて高いものである。
【図面の簡単な説明】
【図１】  本発明屋根パネルの一部切欠斜視図。
【図２】  本発明屋根パネルの分解斜視図。
【図３】  本発明屋根パネルの製作説明図であって、（Ａ）は断熱材充填用型セット状態正面図、（Ｂ）は完成屋根パネルの横断面図。
【図４】  本発明屋根パネルに適用する遮熱材の説明図であって、（Ａ）は起立途中の正面図、（Ｂ）は起立状態の正面図。
【図５】  本発明の、屋根下張材固定の屋根パネルの一部切欠斜視図。
【図６】  本発明屋根構造の一部切欠説明図。
【図７】  従来例１の説明図であって、（Ａ）は通気下地材を取付けた状態を、（Ｂ）は通気層形成状態を、（Ｃ）は断熱材を取付けて完成した状態を示す図。
【図８】  従来例２の一部切欠斜視図。
【符号の説明】
１：屋根垂木、        ２：遮熱材、      ３：断熱材、      ４：横枠体、
５：ころび止め材、    ６：棟木、        ７：屋根下張材（屋根野地板）、
８：屋根材（屋根仕上材）、              １０：起立保持材、
２１：上面シート（シート材）、      ２２：中間シート、      ２３：下面シート（シート材）、
２４，２５：起立片、    ２２´，２４´，２５´：折曲面、
６１：軒桁、          Ａ：屋根パネル、    Ｆ：枠体
ｒ：折曲部、          Ｓ：空気層空間、    Ｖ：空間
【図１】
0003639244.tif 000002
【図２】
0003639244.tif 000003
【図３】
0003639244.tif 000004
【図４】
0003639244.tif 000005
【図５】
0003639244.tif 000006
【図６】
0003639244.tif 000007
【図７】
0003639244.tif 000008
【図８】
0003639244.tif 000009